(57)【要約】【課題】吸放湿内装材に意図した通りの効果的な吸湿作用を行わせることができ、しかも、それをコスト的に有利に実現することができる吸放湿内装構造を提供する。【解決手段】吸放湿内装材３が室内１に面する天井面２などに設けられると共に、吸放湿内装材３の背面側にヒーター４が備えられ、ヒーター４を駆動することにより、その熱で吸放湿内装材３がアクティブな放湿を行うことができるようになされている。ヒーター４は発熱塗料からなっているとよい。また、ヒーター４の背面側には断熱材５が設けられているとよい。【選択図】      図１
2008063876.tif 000002
【特許請求の範囲】
【請求項１】
吸放湿内装材が室内に面して設けられると共に、該吸放湿内装材の背面側にヒーターが備えられ、該ヒーターを駆動することにより、その熱で前記吸放湿内装材がアクティブな放湿を行うことができるようになされていることを特徴とする吸放湿内装構造。
【請求項２】
前記ヒーターが発熱塗料からなる請求項１に記載の吸放湿内装構造。
【請求項３】
前記ヒーターの背面側に断熱材が設けられている請求項１又は２に記載の吸放湿内装構造。
【発明の詳細な説明】
【技術分野】
【０００１】
本発明は、吸放湿内装構造に関する。
【背景技術】
【０００２】
吸放湿性の高い材料を用いて構成された吸放湿内装材を室内に面して設け、その材料の有する吸放湿性能によってパッシブに室内の調湿を行うようになされたものは、従来より提供されている。
【特許文献１】特開２００３−３１３９６６号公報
【発明の開示】
【発明が解決しようとする課題】
【０００３】
しかしながら、材料の吸放湿性能のみに頼る吸放湿内装構造では、例えば、寝室において、冬季の夜間から明け方にかけて、吸放湿材の吸湿能力が低下してしまい、サッシに多量の結露を生じさせてしまうなど、季節や室内環境等によって、意図した通りの効果的な吸湿作用が行われないことがある。
【０００４】
また、材料の吸放湿性能のみに頼る吸放湿内装構造では、材料に高い吸放湿性能が求められ、そのため、使用できる吸放湿材料が限られてしまったり、また、多量の吸放湿材料を使用しなければならなかったり、施工面積を大きくしなければならなかったりなど、コストが高くついてしまいやすいという問題もある。
【０００５】
本発明は、上記のような問題点に鑑み、吸放湿内装材に意図した通りの効果的な吸湿作用を行わせることができ、しかも、それをコスト的に有利に実現することができる吸放湿内装構造を提供することを課題とする。
【課題を解決するための手段】
【０００６】
上記の課題は、吸放湿内装材が室内に面して設けられると共に、該吸放湿内装材の背面側にヒーターが備えられ、該ヒーターを駆動することにより、その熱で前記吸放湿内装材がアクティブな放湿を行うことができるようになされていることを特徴とする吸放湿内装構造によって解決される（第１発明）。
【０００７】
この吸放湿内装構造では、ヒーターが備えられているので、ヒーターを駆動して吸放湿内装材にアクティブな放湿を行わせておくことにより、ヒーター停止後は、吸放湿内装材に、室内の除湿、防露のための意図した通りの効果的な吸湿作用を行わせることができる。
【０００８】
しかも、ヒーターは吸放湿内装材の背面側に備えられているので、ヒーターを駆動することにより、吸放湿内装材の厚さ方向の奥側の湿気も効果的に放湿させることができ、吸放湿内装材に持続性の高い吸湿作用を行わせることができる。
【０００９】
加えて、このように吸放湿内装材にヒーターでアクティブに放湿を行わせることができるようになされていることで、吸湿能力の差程高くない材料であっても、ヒーターによるアクティブな放湿によって高い吸湿能力をもたせることができて、使用できる吸放湿材料の範囲を広くすることができ、また、吸放湿材料の使用量を少なくすることができ、その施工面積も小さくすることができて、コスト面での有利性を発揮することが可能になる。
【００１０】
第１発明において、ヒーターが発熱塗料からなる場合（第２発明）は、ヒーターの厚さ寸法を小さくすることができてヒーター設置のための特別なスペースが不要であると共に、施工も塗布により行うこともできて、ヒーターの組込みを容易にすることができるのはもちろん、塗料の配合によって吸放湿内装材の放湿のための熱の供給を過不足無いものに容易に設定することができて無駄なエネルギー消費を抑えることができる。
【００１１】
第１，第２発明において、ヒーターの背面側に断熱材が設けられている場合（第３発明）は、ヒーターの熱を吸放湿内装材の肉内に効率良く集中的に伝えることができて、吸放湿内装材の放湿に要する時間を短くすることができ、もちろん、無駄なエネルギーの消費も抑えることができる。
【発明の効果】
【００１２】
本発明は、以上のとおりのものであるから、吸放湿内装材に意図した通りの効果的な吸湿作用を行わせることができ、しかも、それをコスト的に有利に実現することができる。
【発明を実施するための最良の形態】
【００１３】
次に、本発明の実施最良形態を図面に基づいて説明する。
【００１４】
図１に示す実施形態の吸放湿内装構造は、同図（イ）に示すように、住宅用建物の主寝室１に適用した場合のものであり、室内に面する天井面２が吸放湿内装材３で構成されており、同図（ロ）に示すように、吸放湿内装材３の背面部には、発熱塗料からなるヒーター４が設けられると共に、該ヒーター４の背面側にブローイングなどによる断熱材５が設けられ、ヒーター４に通電することにより、その熱が吸放湿内装材３に伝えられ、該吸放湿内装材３がアクティブな放湿を行うことができるようになされている。
【００１５】
上記の吸放湿内装構造では、例えば、冬季に、換気を適度に行いながら就寝前の所定の時間だけヒーター４に通電して吸放湿内装材３にアクティブな放湿を行わせておけば、就寝中、換気を停止しても、吸放湿内装材３は、意図した通りの効果的な吸湿作用を行い、室内１を除湿し、サッシ窓６への結露の発生を効果的に抑制することができる。
【００１６】
因みに、６ｍｍの軟質繊維板を吸放湿内装材３として用い、ヒーター４によるアクティブな放湿を行った場合と、ヒーターなしの場合とについて、効果の比較を行ったところ、図２（イ）（ロ）及び図３（イ）（ロ）に示すような結果が得られた。
【００１７】
なお、ヒーターなしのものについては、終日０．５回／ｈの換気を行った。ヒーターありのものについては、１６時から２０時にヒーターに通電してアクティブな放湿を行い、２３時から翌朝７時までの就寝時間中は換気を停止した。
【００１８】
これらの結果から、図２（イ）に示すように、就寝時間中の室温にはほとんど差はなく、また、図２（ロ）に示すように、室内の絶対湿度は、ヒーター４への通電を行ったものについては、通電時間（１６時から２０時）中は増加して室内が適度に加湿され、就寝時間（２３時から翌朝７時）中は、換気を停止しているにもかかわらず低く抑えられ、また、図３（イ）に示すように、サッシ窓６の結露量については、最大結露量が１／２に減少し、更に、図３（ロ）に示すように、ヒーターへの通電を行った場合とヒーターなしの場合とでは、就寝中における吸放湿内装材３の吸湿量に大きな差が出ることがわかる。
【００１９】
また、冬季に限らず、梅雨期には、ヒーター４に通電して吸放湿内装材３にアクティブな放湿を行わせることによって、吸放湿内装材３におけるカビの発生を抑えることや、換気との組み合わせで室内におけるカビの発生も防ぐことが可能になる。
【００２０】
以上に、本発明の実施形態を示したが、本発明はこれに限られるものではなく、発明思想を逸脱しない範囲で各種の変更が可能である。例えば、上記の実施形態では、吸放湿内装構造を寝室１の天井に適用し、ヒーター４による吸放湿内装材３のアクティブな放湿を、冬季の就寝時間中における結露の抑制のために行った場合を示したが、本発明の吸放湿内装構造は、天井以外の室内に面する面を吸放湿内装材で構成したものであってもよいし、寝室以外の室内の吸放湿内装構造として構成されていてもよいし、また、ヒーターによるアクティブな放湿を行う季節や時間帯に制限はなく、要は、吸放湿内装材によるパッシブな吸湿のみでは意図した通りの効果的な吸湿作用が行われない、あるいは、行われにくいような様々な場合に広く用いることができるものである。吸放湿内装材を構成する吸放湿材の材質等についても制限はない。
【図面の簡単な説明】
【００２１】
【図１】図（イ）は実施形態の吸放湿内装構造を示す透視図、図（ロ）は同構造の要部断面図である。
【図２】図３とともに、ヒーターによるアクティブな放湿を行った場合（発熱塗料あり）とヒーターなし（発熱塗料なし）の場合とについての効果を比較したもので、図（イ）は時間と室温との関係を示すグラフ、図（ロ）は時間と室内の絶対湿度との関係を示すグラフである。
【図３】図（イ）は時間とサッシ窓での蓄積結露量との関係を示すグラフ、図（ロ）は吸放湿内装材の材料の深さ位置とその位置での相対湿度を示すグラフである。
【符号の説明】
【００２２】
１…主寝室（室内）
３…吸放湿内装材
４…発熱塗料（ヒーター）
５…断熱材
【図１】
2008063876.tif 000003
【図２】
2008063876.tif 000004
【図３】
2008063876.tif 000005